(57)【要約】【課題】横隣設一体化ロール紙ホルダにおける左右二つの紙切り板の開き状態を正面ほぼＭ字状の一つの係止弾片により不動に確保することで、ロール紙のセット時やロール紙芯管の取り除きに当たり、紙切り板が邪魔にならない横隣設一体化ロール紙ホルダを安価に多量製造すること。【解決手段】複数のロール紙ホルダを横方向に一体的に並設した平面ほぼヨ字状の横隣設一体化ロール紙ホルダ１における各側体のうち中央の側体２を中空となし、その内側背面２Ａの上部に正面ほぼＭ字状の係止弾片７をその中央固着部７Ａで定着してこの係止弾片７の左右の係止突起７Ｂをそれぞれ側体２の左右の側面孔２Ｂから外部に弾力的に突出させ、これら各突起７Ｂを開き状態にある左右の紙切り板６の後部側面突部６Ｃの下部にそれぞれ弾接係合させることで、二つの紙切り板６の開き状態を前記一つの係止弾片７でロック可能となした。【選択図】      図１
2004180900.tif 000002
【特許請求の範囲】
【請求項１】
複数のロール紙ホルダを横方向に一体的に並設した平面ほぼヨ字状の横隣設一体化ロール紙ホルダ１の側体２に左右のロール紙空心受け３を突設し、これらの空心受け３に左右のロール紙４をその空心４Ａでそれぞれ回転可能に支持し、各ロール紙４の上部前寄り外周面にそれぞれ前記ホルダ１の後側枢支部５で起伏可能に枢支した左右の紙切り板６の前辺下部６Ａを対接するとともに、この前辺下部６Ａを経て前方へ繰り出したロール紙繰り出し部４Ｂを前記紙切り板６の前辺刃先６Ｂでカット可能となした横隣設一体化ロール紙ホルダにおいて、前記各側体のうち中央の側体２を中空となし、その内側背面２Ａの上部に正面ほぼＭ字状の係止弾片７をその中央固着部７Ａで定着するとともに、係止弾片７の左右の係止突起７Ｂをそれぞれ側体２の左右の側面孔２Ｂから外部に弾力的に突出させ、これら各突起７Ｂを開き状態にある前記左右の紙切り板６の後部側面突部６Ｃにそれぞれ弾接係合させることで、二つの紙切り板６の開き状態を前記一つの係止弾片７でロック可能となした横隣設一体化ロール紙ホルダ。
【請求項２】
前記各側体のうち中央の側体２を幅広中空となし、その内側背面２Ａの上部に正面ほぼＭ字状で幅広の係止弾片７をその中央固着部７Ａで定着するとともに、係止弾片７の左右の係止突起７Ｂをそれぞれ側体２の左右の側面孔２Ｂから外部に弾力的に突出させ、これら各突起７Ｂを開き状態にある前記左右の紙切り板６の後部側面突部６Ｃにそれぞれ弾接係合させることで、二つの紙切り板６の開き状態を前記一つの係止弾片７でロック可能となした請求項１に記載の横隣設一体化ロール紙ホルダ。
【請求項３】
前記係止弾片７としてその中央固着部７Ａと左右の係止突起７Ｂと共に弾性プラスチックで一体的に射出成形して作った係止弾片７を用いてなる請求項１または請求項２に記載の横隣設一体化ロール紙ホルダ。
【請求項４】
前記ロール紙空心受け３として、前記ロール紙ホルダ１の各側体２に突設した左右二対の自己対向復帰ロール紙空心受け３を用い、これら二対のロール紙空心受け３の一対ずつで二つのロール紙４をその空心４Ａで左右のロール紙ホルダ１に回転可能に支持してなる請求項１から請求項３までのいずれか一つの請求項に記載の横隣設一体化ロール紙ホルダ。
【請求項５】
前記ロール紙空心受け３として、前記ロール紙ホルダ１の各側体２の片側面にそれぞれ一本ずつ片持ち枢支突設した左右の丸棒状ロール紙空心受け３にそれぞれその自由端からロール紙４をその空心４Ａで挿通セットしてこれら二つのロール紙４をその空心４Ａで左右のロール紙ホルダ１にそれぞれ回転可能に支持してなる請求項１から請求項３までのいずれか一つの請求項に記載の横隣設一体化ロール紙ホルダ。
【発明の詳細な説明】
【０００１】
【発明の属する技術分野】
この発明は、ロール紙、または、これに近似したロール巻シート状物を回転可能に支持し、これらを繰り出しカットして使用できる横隣設一体化ロール紙ホルダにおける二つの紙切り板の開き状態を正面ほぼＭ字状の一つの係止弾片で確保することで、ロール紙交換時に紙切り板が邪魔にならないように改良した横隣設一体化ロール紙ホルダに関する。
【０００２】
【従来の技術】
左右のロール紙ホルダを横方向に一体的に並設した横隣設一体化ロール紙ホルダーとして従来、特開平９−２１５６２８号公報中の図１７，図１９とその説明文記載のもの、および、特開平１０−１２７５２５号公報記載のものとがそれぞれ周知である。
これらの従来例は、ロール紙ホルダにおける側体に左右二対の自己対向復帰のロール紙空心受けを枢支し、またはロール紙空心受け用の一本の心棒を前向き回動可能に片持ち枢支横設し、これらの心棒または上記空心受けにその自由端からロール紙をその空心で枢支してロール紙を左右のロール紙ホルダにそれぞれ回転可能に支持するとともに、これら二つのロール紙の上部斜め前寄り外周面にそれぞれ前記ホルダの後部に枢支した紙切り板の前辺下部を弾接するとともに、この前辺下部を経た前記二つの各ロール紙の摘み代をそれぞれ二つ共前方へ繰り出してこの繰り出し部を前記紙切り板の前辺刃先でカットできるようにした左右のロール紙ホルダを左右に一体的に並設した横隣設一体化ロール紙ホルダである。
【０００３】
したがって、これらの各従来例では、前記紙切り板の開き状態を不動に確保するロック部材が全く無いので、使用済みロール紙芯管の取り出し時やロール紙の補充時には、紙切り板を片方の手指で持ち上げながら他方の手指で二つのロール紙芯管の取り出しやロール紙の補充しなければならず、紙切り板の前辺刃先などで手指を怪我する危険が有るし、両手操作が必要だから誠に面倒かつ、厄介であるという本質的かつ、大きな問題点が有る。
【０００４】
この発明は、前記従来例における問題点を除去するために、横隣設一体化ロール紙ホルダにおける左右二つの紙切り板の開き状態を正面ほぼＭ字状の一つの係止弾片により不動に確保することで、ロール紙のセット時やロール紙芯管の取り除きに当たり、紙切り板が邪魔にならない横隣設一体化ロール紙ホルダを安価に多量製造することを目的とする。
【０００５】
【課題を解決するための手段】
上記した本発明の目的は、複数のロール紙ホルダを横方向に一体的に並設した平面ほぼヨ字状の横隣設一体化ロール紙ホルダの側体に左右のロール紙空心受けを突設し、これらの空心受けで二つのロール紙を左右のロール紙ホルダにそれぞれ回転可能に支持し、各ロール紙の上部前寄り外周面にそれぞれ前記ホルダの後部の枢支部で起伏可能に枢支した左右の紙切り板の前辺下部を対接し、この前辺下部を経て前方へ繰り出したロール紙繰り出し部を前記紙切り板の前辺刃先でカット可能となした横隣設一体化ロール紙ホルダ構成するに当たり、前記各側体のうち中央の側体を中空となし、その内側背面の上部に正面ほぼＭ字状の係止弾片をその中央固着部で定着し、この係止弾片の左右の係止突起をそれぞれ側体の左右の側面孔から外部に弾力的に突出させ、これら各突起を開き状態に有る前記左右の紙切り板の後部側面突部にそれぞれ弾接係合させることで、前記左右の紙切り板の開き状態を前記一つの係止弾片でロック可能としたことで達成できた。
【０００６】
【発明の実施の形態】
本発明の実施の形態のうち、先ず、本発明の基本的な形態例を説明する。
本発明の基本的な実施形態は、平面ほぼコ字状の左右のロール紙ホルダ１を図１のように横方向に一体的に並設して平面形状がほぼヨ字状になるように、プラスチックや金属を一体成形して作った横隣設一体化ロール紙ホルダ１における中央と左右の側体２の各前端にそれぞれ同図１のように自己対向復帰のロール紙空心受け３をその枢支部３Ａを中心として外力で後方に回動可能に、しかも、この外力の解除により各空心受け３がそれぞれ弾力的に対向復帰するように前記従来例のような周知の自己対向復帰手段で同図１のように枢支対設する。
【０００７】
また、前記各空心受け３の一対ずつにそれぞれロール紙４をその空心４Ａ（または芯管）で左右のロール紙ホルダ１にそれぞれ周知手段で図２のように回転可能に支持し、各ロール紙４の上部前寄り外周面にそれぞれ前記ホルダ１の後部の枢支部５で起伏可能に枢支した左右の紙切り板６の前辺下部６Ａを図２の矢示ａのように下向きに押してその自重やばねなどで圧接するとともに、この前辺下部６Ａを経て前方へ繰り出したロール紙繰り出し部４Ｂを前記紙切り板６の前辺刃先６Ｂでカットできる横隣設一体化ロール紙ホルダを構成する。
【０００８】
次いで、この発明では、前記左右二つの紙切り板６の開き状態を一つの係止弾片で確保するために、前記各側体のうち中央の側体２を図３のように幅広中空となし、その内側背面２Ａの上部に同図３のような弾性プラスチックや、ばね鋼材で正面ほぼＭ字状に作った係止弾片７をその中央固着部７Ａでねじｎなどにより定着するとともに、係止弾片７の左右の係止突起７Ｂをそれぞれ側体２の左右の側面孔２Ｂからそれぞれ図４のように外部に弾力的に突出させ、これら各突起７Ｂを開き状態にある前記左右の紙切り板６の後部側面に突設した上部斜面付きの側面突部６Ｃ下部に同図４および図１のように弾接係合させることで、二つの紙切り板６の開き状態を前記一つの係止弾片７で上記各図のようにロックできるこの発明による横隣設一体化ロール紙ホルダを構成することができた。
【０００９】
本発明の構成は以上のようなもので、以下その使用動作例につき説明する。
前記二対のロール紙空心受け３の一対ずつにそれぞれロール紙４を図２のように回転可能に枢支して支持するには、先ず、前記左右の紙切り板６を図１および図４のように開くとその後部側面突部６Ｃに前記係止弾片７の左右の突起７Ｂがそれぞれ上記各図のように側面突部６Ｃの上部斜面を経て容易に弾接係合するので、二つの紙切り板６の上記開き状態を前記一つの係止弾片７でロックすることができ、その下側に有る前記左右各対のロール紙空心受け３，３にそれぞれ一個ずつロール紙４を宛がい、前記各空心受け３の自己対向復帰力に抗して各空心受け３をその枢支部３Ａを中心として奥向き傾動させ、各空心受け３をロール紙空心４Ａ（または芯管）の内部に前記自己対向復帰力により周知のように入り込ませることで、これら各空心受け３をそれぞれ上記各ロール紙空心４Ａ（または芯管）内で互いに対向復帰させ、ロール紙４をそれぞれ左右二つの隣接ロール紙ホルダ１に図２のように一個ずつ回転可能に枢支して支持することができるとともに、ロール紙４を予じめ手前に所望長さだけ引き出してロール紙の最初の繰り出し用摘み代を作り、左右二つの紙切り板６をその側面突部６Ｃに対する前記係止弾片７の左右の係止突起７Ｂの係止弾力に抗して図２における矢示ａ方向に閉じれば、左右二つのロール紙４を使用状態にすることができる。
【００１０】
その後、前記摘み代を手前に引いてロール紙４を所望長繰り出し、この繰り出し部分を閉じた紙切り板６の前辺刃先６Ｂでカットするという使用動作を繰り返すことで、ロール紙４を最後まで使用することができ、使用済みのロール紙芯管４Ａを取り外すには、紙切り板６を前述したように開き、この開き状態を前記係止弾片７の左右の係止突起７Ｂの係止弾力で上記図１および図４のように保持した後、空心受け３をその対向復帰弾力に抗しロール紙芯管４Ａで前向き回動させればロール紙芯管４Ａを取り外すことができ、その後対向復帰したロール紙空心受け３に新しいロール紙４を宛がい、ロール紙空心受け３を前記復帰弾力に抗し前記のように奥向き傾動後対向復帰させることで、ロール紙空心受け３に新しいロール紙を前記のように枢支セットすることができ、紙切り板６をその側面突部６Ｃに対する前記係止弾片７の左右の係止突起７Ｂの係止弾力に抗してロール紙４の上部に被せることで、上記新しいロール紙４を使用できる。
【００１１】
【実施例】
前記ロール紙空心受け３には、各側体２の対向面に設けた枢支孔に係合させる自己突出の枢軸を有する周知の分離式心棒状ロール紙空心受けを用いてもよく、また、ロール紙ホルダ１の各側体２の片側面にそれぞれ周知の復帰手段や適度の摩擦を保ち方持ち枢支突設した心棒棒状ロール紙空心受け３にその自由端から各ロール紙の空心をセットしてこれらロール紙を各ロール紙ホルダ１にそれぞれ回転可能に支持することもできる。
【００１２】
【発明の効果】
本発明は、以上のような形態を採用したので、以下に記載の効果を奏する。
本発明における請求項１および請求項２の各発明によれば、複数のロール紙ホルダを横方向に一体的に並設した平面ほぼヨ字状の横隣設一体化ロール紙ホルダ１の各側体のうち中央の側体２を中空となし、その内側背面２Ａの上部に正面ほぼＭ字状の係止弾片７をその中央固着部７Ａで定着するとともに、係止弾片７の左右の係止突起７Ｂをそれぞれ側体２の左右の側面孔２Ｂから外部に弾力的に突出させ、これら各突起７Ｂを開き状態にある左右の紙切り板６の後部側面突部６Ｃの下部にそれぞれ弾接係合させることで、横隣設一体化ロール紙ホルダにおける左右二つの紙切り板６の開き状態を前記一つの係止弾片７でロック可能となしたので、ロール紙空心受け３にロール紙４を枢支セットするときや、使用済のロール紙芯管の取り出しに当たり、紙切り板６が邪魔にならず便利になったし、特にこの発明では、前記正面ほぼＭ字状の一つの係止弾片７における左右の係止突起７Ｂを介し左右二つの紙切り板６の開き状態を確保できたので、横隣設一体化ロール紙ホルダの製造・管理・運搬・保管・販売・購入・使用のすべての面で有利になったという優れた効果が有る。
【００１３】
また、本発明における請求項３の発明によれば、前記諸効果に加え、前記係止弾片７としてその中央固着部７Ａと左右の係止突起７Ｂと共に弾性プラスチックで一体的に射出成形して作った係止弾片７を用いたので、係止弾片自体を簡素化でき、横隣設一体化ロール紙ホルダを安価に多量製造することができたという効果効果を付加できた。
【００１４】
本発明における請求項４および請求項５の各発明によれば、前記諸効果に加え、前記ロール紙空心受け３として、前記ロール紙ホルダ１の各側体２に突設した左右二対の自己対向復帰ロール紙空心受け３を用いたり、各側体２の片側面にそれぞれ一本ずつ片持ち枢支突設した左右の丸棒状ロール紙空心受け３を用いたので、ロール紙空心受け３に対するロール紙４の枢支セットや使用済のロール紙芯管の取り出しが著しく容易にできるという効果を付加できた。
【図面の簡単な説明】
【図１】本発明によるロール紙ホルダの一例を示す斜視図
【図２】本発明によるロール紙ホルダの使用例を示す斜視図
【図３】本発明によるロール紙ホルダの後ろ側の形態例を示す分解斜視図
【図４】本発明によるロール紙ホルダの後ろ側の形態例を示す斜視図
【符号の説明】
１    横隣設一体化ロール紙ホルダ
２    ロール紙ホルダの側体
２Ａ  側体の内側背面
２Ｂ  側体左右の側面孔
３    ロール紙空心受け
４    ロール紙
４Ａ  ロール紙の空心（または芯管）
４Ｂ  ロール紙の繰り出し部
５    紙切り板の枢支部
６    紙切り板
６Ａ  紙切り板の前辺下部
６Ｂ  紙切り板の前辺刃先
６Ｃ  紙切り板の後部側面突部
７    正面ほぼＭ字状の係止弾片
７Ａ  係止弾片の中央固着部
７Ｂ  係止弾片左右の係止突起
【図１】
2004180900.tif 000003
【図２】
2004180900.tif 000004
【図３】
2004180900.tif 000005
【図４】
2004180900.tif 000006